(57)【要約】【課題】クロストークの発生を抑制する表示処理装置を提供する。【解決手段】本発明による表示処理装置１は、ライン上の所定領域の画素値の平均値を取得する平均値取得部４と、画素平均値と、補正対象となる対象画素の画素値との画素差分値を算出する差分値演算部６と、画素差分値に応じて、対象画素値を補正する処理部７を備える。信号処理によりクロストークの発生を抑制することから、複雑かつ高価な構造を用いる必要がなく、制御の容易な表示処理装置を実現することができる。また、処理部７は、補正対象画素近傍における画素値の変動量を取得し、この変動量に応じて対象画素値を補正してもよい。【選択図】        図３
2004301964.tif 000002
【特許請求の範囲】
【請求項１】
ライン上の所定領域の画素値の平均値を取得する第１取得部と、
画素平均値と、補正対象となる対象画素の画素値との画素差分値を算出する演算部と、
画素差分値に応じて、対象画素値を補正する処理部と、
補正した画素値を表示する表示部と、
を備えることを特徴とする表示処理装置。
【請求項２】
前記処理部は、
対象画素近傍における画素値の変動量を取得する第２取得部と、
変動量に応じて対象画素値を補正する補正部と、
を備えることを特徴とする請求項１に記載の表示処理装置。
【請求項３】
前記処理部は、変動量が大きいほど対象画素値の補正量を小さくし、変動量が小さいほど対象画素値の補正量を大きくすることを特徴とする請求項２に記載の表示処理装置。
【請求項４】
前記第２取得部は、対象画素近傍の一定領域内で隣接する画素間の隣接画素差分絶対値をもとに、変動量を取得することを特徴とする請求項２または３に記載の表示処理装置。
【請求項５】
前記第２取得部は、隣接画素差分絶対値の積算値をもとに、変動量を取得することを特徴とする請求項４に記載の表示処理装置。
【請求項６】
前記第２取得部は、ある隣接画素差分絶対値が閾値を超える場合は、その隣接画素差分絶対値の代わりに閾値を積算して積算値を求めることを特徴とする請求項４または５に記載の表示処置装置。
【請求項７】
前記第２取得部は、対象画素近傍の一定領域内で隣接する画素間の隣接画素差分絶対値のそれぞれを閾値と比較し、閾値を上回る隣接画素差分絶対値をカウントした数をもとに、変動量を取得することを特徴とする請求項２から４のいずれかに記載の表示処理装置。
【請求項８】
前記処理部は、対象画素の表示部における位置に応じて対象画素値を補正することを特徴とする請求項１から７のいずれかに記載の表示処理装置。
【請求項９】
前記第１取得部は、前記ライン上の所定領域の画素値の平均値または積算値を複数のラインについて取得し、
前記演算部は、ライン間の画素平均値または積算値のライン差分値を算出し、前記処理部は、ライン差分値に応じて、対象画素値を補正することを特徴とする請求項１から８のいずれかに記載の表示処理装置。
【請求項１０】
前記表示部を複数のエリアに分割して駆動させる場合に、前記処理部は、対象画素に対して、分割したエリアの対称位置にある画素の画素値を補正することを特徴とする請求項１から９のいずれかに記載の表示処理装置。
【発明の詳細な説明】
【０００１】
【発明の属する技術分野】
本発明は画像を表示する表示処理技術に関し、特にクロストークの発生を抑制する表示処理技術に関する。
【０００２】
【従来の技術】
現在、携帯型通信端末やパーソナルコンピュータのディスプレイは主として液晶パネルから構成されている。近年では、液晶パネルに代わる次代の表示装置として、有機エレクトロルミネッセンスパネルや無機エレクトロルミネッセンスパネルが注目されている。このような表示装置はマトリックス状に配置された画素を有して構成され、その駆動方式として、アクティブマトリックス駆動方式とパッシブマトリックス駆動方式の２種類が主に用いられている。
【０００３】
表示装置における重要課題の一つに、水平方向のクロストークの発生があげられる。クロストーク現象は、ウインドウなどの固定パターンを表示したときに、そのパターンに水平方向に隣接する領域の輝度が変化する現象である。電極ラインに大電流が流れることにより、ライン上で電圧降下が発生し、この電圧降下により輝度変化が発生すると考えられている。
【０００４】
図１は、クロストーク現象が発生した表示画像の例を示す。均一な中間調の背景の中に、白色のウインドウを表示させる場合を想定する。ウインドウの画素を含むラインＡ−Ａ’では、入力信号レベルが水平方向に、画素１から画素（ｐ−１）までの範囲で０．３、画素ｐから画素（ｑ−１）までの範囲で１．０、画素ｑから画素ｒまでの範囲で０．３と変化し、ウインドウの画素を含まないラインＢ−Ｂ’では、入力信号レベルが全ての画素で０．３に維持される。このとき、図示するように、水平ライン上のウインドウ左右の領域では、ウインドウがないラインと比べて、輝度の変動が認められる。この輝度変動は品質上好ましくなく、そのため従来では、信号配線の駆動電圧の変動で生じる共通電極の電位変動を間接的に検出するクロストーク抑制情報検出手段と、検出した電位変動を補正するフィルタ回路とを備えたアクティブマトリックス型液晶表示装置を提案するものがある（例えば、特許文献１参照。）。
【０００５】
【特許文献１】
特開２００２−１２３２２７号公報
【０００６】
【発明が解決しようとする課題】
クロストークの抑制は、できるだけ簡易な構成で実現することが好ましい。したがって本発明の目的は、クロストークの発生を簡易な構成で抑制することのできる信号処理を行う表示処理装置を提供することにある。
【０００７】
【課題を解決するための手段】
上記課題を解決するために、本発明のある態様は表示処理装置に関する。表示処理装置は、ライン上の所定領域の画素値の平均値を取得する第１取得部と、画素平均値と、補正対象となる対象画素の画素値との画素差分値を算出する演算部と、画素差分値に応じて、対象画素値を補正する処理部と、補正した画素値を表示する表示部とを備える。この態様の表示処理装置は、画素平均値を利用して画素値を補正することにより、信号処理でクロストークによる輝度変化を効果的に抑制することが可能となる。
【０００８】
処理部は、対象画素近傍における画素値の変動量を取得する第２取得部と、変動量に応じて対象画素値を補正する補正部とを備えてもよい。処理部は、変動量が大きいほど対象画素値の補正量を小さくし、変動量が小さいほど対象画素値の補正量を大きくすることが好ましい。
【０００９】
第２取得部は、対象画素近傍の一定領域内で隣接する画素間の隣接画素差分絶対値をもとに、変動量を取得してもよい。第２取得部は、隣接画素差分絶対値の積算値をもとに、変動量を取得してもよい。第２取得部は、ある隣接画素差分絶対値が閾値を超える場合は、その隣接画素差分絶対値の代わりに閾値を積算して積算値を求めてもよい。第２取得部は、対象画素近傍の一定領域内で隣接する画素間の隣接画素差分絶対値のそれぞれを閾値と比較し、閾値を上回る隣接画素差分絶対値をカウントした数をもとに、変動量を取得してもよい。
【００１０】
処理部は、対象画素の表示部における位置に応じて対象画素値を補正してもよい。第１取得部は、ライン上の所定領域の画素値の平均値または積算値を複数のラインについて取得し、演算部は、ライン間の画素平均値または積算値のライン差分値を算出し、処理部は、ライン差分値に応じて、対象画素値を補正してもよい。表示部を複数のエリアに分割して駆動させる場合に、処理部は、対象画素に対して、分割したエリアの対称位置にある画素の画素値を補正してもよい。
【００１１】
なお、以上の構成要素の任意の組合せ、本発明の表現を方法、装置、システム、などの間で変換したものもまた、本発明の態様として有効である。
【００１２】
【発明の実施の形態】
図２は、マトリックス駆動タイプの表示部１０のモジュール構成を示す。表示部１０は、ガラスやセラミックなどの基板１２上に発光層１６が２枚の絶縁層１４および１８に挟持された構造を有している。基板１２には複数のデータ電極２０が並列に配置され、また絶縁層１８には、複数の走査電極２２が、データ電極２０に直交するように並列に配置される。表示部１０において、白いウインドウを表示する場合、ウインドウを表示する領域の走査電極２２において、画素値として設定された信号レベルをそのまま印加すると、走査電極２２において電圧降下が発生し、図１に示したごとく、クロストーク現象が発生することになる。
【００１３】
そこで、本実施の形態では、画素値すなわち信号レベルを信号処理により補正し、クロストークの発生を抑制することとする。なお、図１では、発光層１４を備えた有機ＥＬパネルや無機ＥＬパネルなどの表示部１０の構成を示しているが、表示部１０は、マトリックス駆動タイプの液晶パネルとして構成されてもよい。
【００１４】
図３は、実施の形態における表示処理装置１の構成を示す。表示処理装置１は、入力部２、積算部３、平均値取得部４、ラインメモリ５、差分値演算部６、処理部７および表示部１０を備える。表示部１０は、表示用パネルおよびマトリックス駆動を行う駆動回路を有して構成される。
【００１５】
まず入力部２が、画像信号を受け付け、ラインメモリ５に供給する。ラインメモリ５は、表示部１０の１ライン分の画像信号、すなわち１ライン分の画素の画素値を記録する。積算部３は、ラインメモリ５に記録される１ライン分の画素値を積算する。この例で積算部３は、画像信号がラインメモリ５に入力される時に画素値を同時に積算することとするが、そのタイミングは任意であり、ラインメモリ５から出力される時に画素値を積算してもよい。１ライン分の画像信号がラインメモリ５に入力されると、積算部３は、１ライン分の画素値の積算値を平均値取得部４に伝達する。平均値取得部４は、画素値の積算値を画素数で割ることにより、そのラインにおける画素値の平均値を算出して取得する。なお、例えば画像信号がソースから読み出されるときに、平均値が既に算出されている場合には、平均値取得部４は、その平均値を受け取ってもよい。図１の場合を例にとると、ラインＡ−Ａ’の画素平均値は、（０．３×ｒ＋０．７×（ｑ−ｐ））／ｒと表され、ラインＢ−Ｂ’の画素平均値は、０．３と表される。
【００１６】
差分値演算部６は、平均値取得部４から１ライン分の画素平均値を受け取る。差分値演算部６は、この画素平均値と、補正対象となる対象画素の画素値すなわちラインメモリ５から出力される信号レベルとの画素差分値を算出する。補正対象となる対象画素は、１ライン分の全ての画素としてもよい。算出された画素差分値は、処理部７に送られる。
【００１７】
図４は、処理部７の構成を示す。処理部７は、差分値取得部３１、補正レベル決定部３２、変動量取得部３３、ゲイン決定部３４および補正部３５を有する。差分値取得部３１が、差分値演算部６から画素差分値を取得し、補正レベル決定部３２に伝える。補正レベル決定部３２は、画素差分値に応じて、補正対象となる画素値の補正レベルを決定する。補正レベルは、補正部３５において元の画素値に対して加減される要素である。
【００１８】
図５は、補正レベル制御特性の一例を示す。横軸は画素差分値を表し、縦軸は補正レベルを表す。この補正レベル制御特性によると、画素差分値に対して補正レベルを一意に設定することができる。本発明者は、画素差分値、すなわち画素平均値と補正対象画素値との差が大きければ、クロストーク現象により生じる輝度変化が大きくなることを確認し、その知見をもとに、画素差分値の絶対値が大きくなるほど、補正レベルを大きくする補正レベル制御特性を想到するに至った。なお、図５には、原点に対して非対称な補正レベル制御特性を示すが、これは対称であってもよく、表示部１０の構造などにより適宜設定されることが好ましい。図４に戻って、補正レベル決定部３２は、この補正レベル制御特性を用いて、対象画素値の補正レベルを決定する。補正部３５は、決定された補正レベルを対象画素値に対して加減することで、対象画素値を補正する。補正された画素値は表示部１０の駆動回路に送られ、対応する画素の信号として処理される。
【００１９】
図６は、表示部１０に表示される画像と、補正した水平ラインの画素値すなわち信号レベルの例を示す。ラインＡ−Ａ’において、画素差分値に基づいて補正レベルをαと決定し、画素１から画素（ｐ−１）の範囲と、画素ｑから画素ｒの範囲の信号レベルを（０．３＋α）と設定したことにより、クロストークの発生を抑制することができる。なお、この例では画素ｐから画素（ｑ−１）の範囲において信号レベルの補正処理を行っていないが、このように電圧降下による影響が多い領域のみに補正処理を施してもよく、また別の例では、画素ｐから画素（ｑ−１）の範囲においても補正処理を施してもよい。なお、ラインＢ−Ｂ’については、全ての画素値が平均値である０．３を示し、画素差分値が０となるため、元の画素値の補正処理は行わない。
【００２０】
図７は、補正レベルを調整するための補正ゲイン制御特性の一例を示す。横軸は補正対象画素近傍における画素値の変動量を表し、縦軸は補正ゲインを表す。本実施の形態において、補正ゲインは、決定された補正レベルに乗算され、対象画素の補正量を調整する要素として利用される。この補正ゲイン制御特性によると、補正対象画素近傍における画素値の変動量に対して、補正ゲインを一意に設定することができる。なお、補正ゲイン制御特性は、表示部１０の構成などに応じて適宜設定されることが好ましい。
【００２１】
クロストークは、表示部１０に表示された画像が全体として一様な場合に生じやすく、細かい模様を表示するような場合には発生しにくい。そこで、補正対象画素と同一ライン上にある近傍の画素の画素値の変動量を求めて、クロストークによる輝度変化量を評価し、補正レベル決定部３２において決定した補正レベルを調整することとする。
【００２２】
図８は、変動量の算出方法の一例を説明するための図を示す。変動量取得部３３が、ラインメモリ５から１ライン分の画素値を受け取り、変動量を設定する。まず、補正対象画素と同一の水平ライン上にある近傍の画素を、それぞれ左右で３つずつ設定する。なおこの個数は３つに限定するものではないが、可能な限り左右対称となるように設定することが好ましい。図示されるように、それぞれの画素の画素値を、左から順に、（Ｐ−３）、（Ｐ−２）、（Ｐ−１）、Ｐ０、Ｐ１、Ｐ２、Ｐ３とする。
【００２３】
変動量取得部３３は、設定した画素のうち、隣接する画素間で画素値の差分をとり、その絶対値を求める。この場合、変動量取得部３３は、隣接した画素間の画素差分絶対値として、｜（Ｐ−３）−（Ｐ−２）｜、｜（Ｐ−２）−（Ｐ−１）｜、｜（Ｐ−１）−（Ｐ０）｜、｜Ｐ１−Ｐ０｜、｜Ｐ２−Ｐ１｜、｜Ｐ３−Ｐ２｜を算出し、これらを積算した積算値を変動量として取得する。全体として輝度変化の少ない一様な表示の場合には、隣接する画素間の画素差分値が小さくなるため、その絶対値を積算した変動量も小さくなる。したがって、変動量が小さければ、一様な表示であることを評価することができ、そのためクロストークが発生しやすい表示であると判断することができる。一方で、画素差分絶対値の積算値が大きければ、細かい模様などの表示であることを評価することができ、クロストークが発生しにくい表示であると判断することができる。
【００２４】
以上のように、変動量取得部３３が、補正対象画素近傍で隣接する画素間の画素差分絶対値の積算値を変動量として取得することにより、ゲイン決定部３４が、図７に示す補正ゲイン制御特性をもとに、補正ゲインを決定することができる。この補正ゲイン制御特性は、変動量が大きければ補正ゲインが小さくなり、一方で変動量が小さければ補正ゲインが大きくなる傾向がある。これは、既述のごとく、大きい変動量が生じている場合には、クロストークが発生しにくい表示であるため、画素値の補正量を大きくする必要がなく、一方で、変動量が小さい場合には、クロストークが発生しやすい表示であるため、画素値の補正量を大きくする必要があるからである。したがって、ゲイン決定部３４は、変動量が大きいほど対象画素値の補正量を小さくする補正ゲインを決定し、変動量が小さいほど補正量を大きくする補正ゲインを決定することになる。補正部３５は、補正ゲインを補正レベルを乗算し、対象画素値から乗算値を加減することにより、対象画素値を補正する。
【００２５】
上記の例では、変動量を取得する際に、画素間の画素差分絶対値を積算することとしているが、急峻に画素値が変動する場合に対処するために、閾値を用いて変動量を取得することも有効である。図１の画面例を参照すると、ラインＡ−Ａ’におけるエッジ部分、例えば画素ｐ、ｑにおいては、隣接する画素との間で画素値が急激に変動することになる。そのため、画素ｐ、ｑ自身、またその近傍の画素を補正対象画素とした場合、隣接画素間の画素差分絶対値は、エッジ部分で、非常に大きな値となる。したがって、その積算値を変動量として捉えると、エッジ部分における画素値の差分に大きく引きずられて、エッジ部分以外は一様な表示であるにもかかわらず、結果として画素値変動の大きい表示であると評価する可能性がある。そのため、変動量取得部３３は、画素差分絶対値を所定の閾値と比較し、その閾値を超える場合には、その画素差分絶対値の代わりに閾値を積算して、画素差分絶対値の積算値を求めることとする。これにより、ある箇所においてエッジが発生する場合、すなわち画素値が急激に変動する場合に、大きすぎる画素差分絶対値を所定の値に置換することにより、表示の性質を把握するために取得した変動量の信頼性を上げることが可能となる。
【００２６】
また、別の例として、算出した画素差分絶対値を閾値と比較した結果のみを用いて、変動量を取得することも可能である。この例では、画素差分絶対値と閾値とを比較して、閾値を上回る画素差分絶対値の数をカウントする。画素値の急激な変化が変動量の算出に与える影響を吸収することにより、信頼性の高い変動量を取得することが可能となる。
【００２７】
図９（ａ）は、クロストークの発生量が異なる場合の表示部１０における表示例および入力信号レベルを示す。この現象は、表示部１０の画素位置により抵抗が異なることを受けて、画素ごとの電圧降下量が異なることに起因して発生する。この図９（ａ）では、ラインＡ−Ａ’において、表示部１０の画素位置により輝度変動のレベルが変化する様子を示す。したがって、このような場合は、ゲイン決定部３４が、表示部１０における画素位置に応じて補正ゲインを決定する。
【００２８】
例えば、ゲイン決定部３４は、ラインの端部からの距離をもとに、補正ゲインを決定してもよい。ライン端部から電力を供給する場合、内側にいくほど電圧降下量は大きくなるため、その電圧降下の変動分を加味して、ゲイン決定部３４が補正ゲインを決定することが好ましい。
【００２９】
図９（ｂ）は、補正対象画素の表示部１０における位置に応じて対象画素値を補正する信号レベルを示す。ラインＡ−Ａ’において、クロストークが発生している領域には、位置に応じた補正量が与えられ、すなわち、画素１から画素（ｐ−１）までの範囲と、画素ｑから画素ｒまでの範囲における補正量に傾斜がつけられる。これにより、クロストークの発生による画素位置に基づいた輝度変動を抑制することができ、好適な画面表示を実現することができる。
【００３０】
図１０（ａ）は、クロストーク発生領域と未発生領域との境界部でクロストークが発生する場合の表示部１０における表示例および入力信号レベルを示す。なお、この例では黒いウインドウを表示している。水平ラインでクロストークが発生したことに起因して、垂直方向においてもクロストークが発生する。すなわち、この現象では、ラインＡ−Ａ’において、水平ライン上のクロストークが発生し、またラインＣ−Ｃ’で示す２つの境界部においても、垂直方向のクロストークが発生することになる。
【００３１】
図１０（ｂ）は、境界部におけるクロストークを抑制して対象画素値を補正する信号レベルを示す。まず、境界部の検出方法であるが、水平ラインの画素平均値を利用する。ラインＡ−Ａ’の画素平均値は、０．７×（ｐ＋ｒ−ｑ）／ｒと表され、ラインＢ−Ｂ’の画素平均値は、０．７と表される。また、境界部のラインＣ−Ｃ’の画素平均値も、ラインＡ−Ａ’と同様に、０．７×（ｐ＋ｒ−ｑ）／ｒと表される。なお、画素平均値ではなく、水平ラインの画素値の積算値を利用することも可能である。
【００３２】
図３および図４に戻って、平均値取得部４は、複数の水平ラインについて画素平均値を取得し、差分値演算部６に供給する。差分値演算部６は、上下で隣接するライン同士の画素平均値の差分をとり、ライン差分値を算出する。処理部７における差分値取得部３１は、算出されたライン差分値を受け取る。
【００３３】
図１０（ａ）に示す表示例において、クロストークの発生領域内および未発生領域内では、水平ラインの画素平均値はラインごとに等しく設定されており、したがって、これらの領域において算出されるライン差分値は０となる。一方、この発生領域と未発生領域との境界、すなわち水平ラインＣ−Ｃ’では、ライン差分値が、０．７−（０．７×（ｐ＋ｒ−ｑ）／ｒ）＝０．７×（ｑ−ｐ）／ｒと算出される。差分値取得部３１は、ライン差分値が所定の閾値を超える場合に、境界部であることを判断する。
【００３４】
図１１は、補正レベルを調整するための補正ゲイン制御特性の別の例を示す。横軸はライン差分値を表し、縦軸は補正ゲインを表す。本実施の形態において、補正ゲインは、決定された補正レベルに乗算されて、対象画素の補正量を調整する要素として利用される。この補正ゲイン制御特性によると、ライン差分値に対して、補正ゲインを一意に設定することができる。例えば、これまで説明したように、ラインＡ−Ａ’における補正レベルがαと設定された場合、図１１に示す補正ゲイン制御特性を用いてラインＣ−Ｃ’における補正ゲインがＧに設定されたとすると、ラインＣ−Ｃ’の画素値は、（０．７−α×Ｇ）となるように補正される。ラインの垂直方向に発生するクロストークは、ライン差分値の大きさに応じて輝度変動量を大きくするため、この補正ゲイン制御特性では、ライン差分値が大きいほど補正ゲインを大きくし、また、ライン差分値が小さいほど補正ゲインを小さくするように設定される。
【００３５】
以上により、図１０（ｂ）のラインＣ−Ｃ’において、信号レベルが（０．７−α×Ｇ）と設定される。水平ライン同士のライン差分値に応じて、対象画素値を補正することにより、垂直方向に発生するクロストークを抑制することが可能となる。
【００３６】
図１２（ａ）は、表示部１０の対称領域においてクロストークが発生する場合の表示例を示す。表示部１０は、上下分割駆動などにより、複数のエリアに分割して駆動される場合がある。この場合、すなわち表示部１０を上下方向に分割して駆動する場合を想定すると、対称駆動のために、一方のエリアにおける電力供給の影響が、他方のエリアにおいて対称の位置にある画素の輝度に影響を及ぼすことがある。そのため、図１２（ａ）に示すように、ラインＡ−Ａ’の対称位置にあるラインＣ−Ｃ’において、クロストークが発生することになる。
【００３７】
図１２（ｂ）は、対称位置におけるクロストークを抑制して対象画素値を補正する信号レベルを示す。この場合は、例えば、ラインＡ−Ａ’とラインＣ−Ｃ’を一つの水平ラインと捉えて、上記した方法で補正を行ってもよい。またラインＡ−Ａ’においてウインドウの領域が含まれているような場合であっても、既述したように、その分を考慮して、画素値を補正することが可能である。これにより、ラインＡ−Ａ’の対称位置のラインＣ−Ｃ’に生じていたクロストークを抑制することができ、良好な画質を期待できる。
【００３８】
以上、本発明を実施の形態をもとに説明した。この実施の形態は例示であり、それらの各構成要素や各処理プロセスの組合せにいろいろな変形が可能なこと、またそうした変形例も本発明の範囲にあることは当業者に理解されるところである。実施の形態では、主に、白いウインドウを表示させる例について説明したが、黒いウインドウを表示させる場合であっても、同様に画素値の補正を行うことができる。また、実施の形態では、１ライン上の画素値の平均値をとることとしたが、それに限らず、ライン上の所定領域の画素値の平均値を用いて、対象画素値を補正してもよい。
【００３９】
【発明の効果】
本発明によれば、クロストークの発生を抑制することのできる表示処理装置を提供することができる。
【図面の簡単な説明】
【図１】クロストーク現象が発生した表示画像の例を示す図である。
【図２】マトリックス駆動タイプの表示部のモジュール構成を示す図である。
【図３】表示処理装置の構成を示す図である。
【図４】処理部の構成を示す図である。
【図５】補正レベル制御特性の一例を示す図である。
【図６】表示部に表示される画像と、水平ラインの画素値すなわち信号レベルの例を示す図である。
【図７】補正レベルを調整するための補正ゲイン制御特性の一例を示す図である。
【図８】変動量の算出方法の一例を説明するための図である。
【図９】（ａ）は、クロストークの発生量が異なる場合の表示部における表示例および入力信号レベルを示す図であり、（ｂ）は、補正対象画素の表示部における位置に応じて対象画素値を補正する信号レベルを示す図である。
【図１０】（ａ）は、クロストーク発生領域と未発生領域との境界部でクロストークが発生する場合の表示部における表示例および入力信号レベルを示す図であり、（ｂ）は、境界部におけるクロストークを抑制して対象画素値を補正する信号レベルを示す図である。
【図１１】補正レベルを調整するための補正ゲイン制御特性の別の例を示す図である。
【図１２】（ａ）は、表示部１０の対称領域においてクロストークが発生する場合の表示例を示す図であり、（ｂ）は、対称位置におけるクロストークを抑制して対象画素値を補正する信号レベルを示す図である。
【符号の説明】
１・・・表示処理装置、２・・・入力部、３・・・積算部、４・・・平均値取得部、５・・・ラインメモリ、６・・・差分値演算部、７・・・処理部、１０・・・表示部、１２・・・基板、１４・・・絶縁層、１６・・・発光層、１８・・・絶縁層、２０・・・データ電極、２２・・・走査電極、３１・・・差分値取得部、３２・・・補正レベル決定部、３３・・・変動量取得部、３４・・・ゲイン決定部、３５・・・補正部。
【図１】
2004301964.tif 000003
【図２】
2004301964.tif 000004
【図３】
2004301964.tif 000005
【図４】
2004301964.tif 000006
【図５】
2004301964.tif 000007
【図６】
2004301964.tif 000008
【図７】
2004301964.tif 000009
【図８】
2004301964.tif 000010
【図９】
2004301964.tif 000011
【図１０】
2004301964.tif 000012
【図１１】
2004301964.tif 000013
【図１２】
2004301964.tif 000014